(57)【要約】      （修正有）【課題】各蓄電素子の温度のばらつきを抑える蓄電装置を提供する。【解決手段】第一方向に並ぶ複数の蓄電素子と、それぞれが第一方向で蓄電素子と隣り合うように配置される複数のスペーサと、を備える。複数のスペーサのそれぞれは、第一方向で隣り合う蓄電素子とともに通風路を形成する風路形成部を有し、第一方向の両端の間に配置される各蓄電素子よりも、第一方向の両端に配置される各蓄電素子を冷却しやすくする。【選択図】図９
2016031903.tif 000002
【特許請求の範囲】
【請求項１】
第一方向に並ぶ複数の蓄電素子と、
前記複数の蓄電素子の間に配置される内部スペーサと、
前記複数の蓄電素子の端部に配置される外部スペーサと、を備え、
前記内部スペーサは、前記第一方向で隣り合う蓄電素子とともに内部通風路を形成し、
前記外部スペーサは、前記第一方向で隣り合う蓄電素子とともに外部通風路を形成し、
前記複数の蓄電素子のうち前記第一方向の両端に配置された一対の蓄電素子の熱伝達量であって、前記内部通風路及び前記外部通風路を流通する流体に対する前記蓄電素子の熱伝達量の平均値をｑｏ、前記両端の間に配置された複数の蓄電素子の熱伝達量であって、前記内部通風路を流通する流体に対する前記蓄電素子の熱伝達量の平均値をｑｉとしたとき、ｑｏ／ｑｉ＞１の関係を満たす、
蓄電装置。
【請求項２】
前記外部通風路は、前記流体が流通する方向に直交する方向の断面の面積が、前記内部通風路よりも大きい、
請求項１に記載の蓄電装置。
【請求項３】
前記外部通風路における前記蓄電素子の冷却面積は、前記内部通風路における前記蓄電素子の冷却面積よりも大きい、
請求項１又は請求項２に記載の蓄電装置。
【請求項４】
前記外部スペーサには、第一方向における前記複数の蓄電装置の両端を挟むように配置される一対の外部スペーサが含まれ、
前記内部スペーサには、前記第一方向で隣り合う蓄電素子の間のそれぞれに配置される複数の内部スペーサが含まれ、
前記複数の内部スペーサによって形成される内部通風路のそれぞれは、前記流体が流通する方向に直交する方向の断面の面積が同一又は略同一であり、
前記一対の外部スペーサによって形成される外部通風路のそれぞれは、前記流体が流通する方向に直交する方向の断面の面積が、前記内部通風路における面積よりも大きい、
請求項１乃至請求項３のいずれか１項に記載の蓄電装置。
【請求項５】
前記外部スペーサは、前記第一方向で隣り合う蓄電素子と間隔をあけて配置される対向部と、該対向部から該蓄電素子に向かって延出する複数の接触部と、を有し、
前記内部スペーサは、前記第一方向で隣り合う蓄電素子に沿って形成される当接部であって、該蓄電素子に当接する複数の当接部と、該複数の当接部間を繋ぐ複数の連設部と、を有し、
前記外部スペーサの前記複数の接触部は、前記内部スペーサの前記複数の連設部と、前記第一方向視において重なる位置に配置される
請求項１乃至請求項４のいずれか１項に記載の蓄電装置。
【請求項６】
第一方向に並ぶ複数の蓄電素子と、
前記複数の蓄電素子の間に配置される内部スペーサと、
前記蓄電素子群の端部に配置される外部スペーサと、を備え、
前記内部スペーサは、前記第一方向で隣り合う蓄電素子とともに内部通風路を形成し、
前記外部スペーサは、前記第一方向で隣り合う蓄電素子とともに外部通風路を形成し、
前記複数の蓄電素子のうち前記第一方向の両端に配置された一対の蓄電素子の冷却面積の平均値をＡｏ、該一対の蓄電素子の間に配置される複数の蓄電素子の冷却面積の平均値をＡｉ、前記一対の蓄電素子に隣り合う前記外部通風路及び前記内部通風路の断面積の平均値ａｏ、前記一対の蓄電素子の間に配置される複数の蓄電素子に隣り合う内部通風路の断面積の平均値をａｉ、としたとき、Ａｏ×√ａｏ＞Ａｉ×√ａｉの関係を満たす、
蓄電装置。
【発明の詳細な説明】
【技術分野】
【０００１】
本発明は、蓄電素子を備える蓄電装置に関する。
【背景技術】
【０００２】
電気自動車では容量の大きな電源が必要なため、複数の電池セルを備えた電池モジュールが用いられる。
【０００３】
この種の電池モジュールは、一方向に配列させた複数の電池セルと、一方向で隣り合う二つの電池セルの間のそれぞれに配置される複数のスペーサと、一方向における複数の電池セルの外側に配置される一対の端部用のスペーサと、を備える（例えば、特許文献１参照）。
【０００４】
さらに、この電池モジュールは、各電池セル同士の隙間に冷却媒体を流すことで、各電池セルを冷却できるように構成される。より具体的に説明する。この種の電池モジュールにおいて、各スペーサは、電池セルの幅方向に亘って開口する切り欠き部を有する。そのため、この種の電池モジュールは、冷却媒体が各スペーサの切り欠き部内を通過することによって、各電池セルを冷却することができるとされている。
【０００５】
ところで、前記電池モジュールは、各スペーサの切り欠き部が一様に形成されている。そのため、前記電池モジュールは、各スペーサの切り欠き部内を通過する冷却媒体の温度がばらつくことがある。このような場合、各電池セルは、温度の異なる冷却媒体と熱交換することになる。そのため、前記電池モジュールでは、各電池セルの温度がばらつくことがある。
【０００６】
例えば、前記電池モジュールは、一方向における一方の端部の周囲に配置される供給装置から冷却媒体が供給され、一方向における他方の端部の周囲に配置される排出装置から冷却媒体が排出される状態で使用されることがある。
【０００７】
この場合、供給装置や、排出装置の温度が高まると、該供給装置の熱が電池モジュールの一方の端部の周囲を流れる冷却媒体に伝わり、該排出装置の熱が電池モジュールの他方の端部の周囲の冷却媒体に伝わる。そのため、前記一対の端部用のスペーサのそれぞれの切り欠き部内を通過する冷却媒体の温度が、前記一方向で隣り合う二つの電池セルの間のそれぞれに配置される複数のスペーサの切り欠き部内を通過する冷却媒体の温度よりも高くなる。
【０００８】
すなわち、複数の電池セルのうち、前記第一方向の両端に配置される電池セルのそれぞれを冷却する冷却媒体の温度は、複数の電池セルのうちの前記第一方向の両端の間に配置される電池セルのそれぞれを冷却する冷却媒体の温度よりも高くなる。
【０００９】
従って、前記電池モジュールでは、複数の電池セルのうち、一方向において両端に配置される電池セルのそれぞれの温度が他の電池セルの温度よりも高くなり、各蓄電素子の温度がばらつくことがある。
【先行技術文献】
【特許文献】
【００１０】
【特許文献１】特開２０１４−３６００１号公報
【発明の概要】
【発明が解決しようとする課題】
【００１１】
そこで、本発明は、上記問題に鑑み、一方向において両端に配置される電池セル温度が高くなることを抑えることのできる蓄電装置を提供することを目的とする。
【課題を解決するための手段】
【００１２】
本発明に係る蓄電装置は、
第一方向に並ぶ複数の蓄電素子と、
前記複数の蓄電素子の間に配置される内部スペーサと、
前記複数の蓄電素子の端部に配置される外部スペーサと、を備え、
前記内部スペーサは、前記第一方向で隣り合う蓄電素子とともに内部通風路を形成し、
前記外部スペーサは、前記第一方向で隣り合う蓄電素子とともに外部通風路を形成し、
前記複数の蓄電素子のうち前記第一方向の両端に配置された一対の蓄電素子の熱伝達量であって、前記内部通風路及び前記外部通風路を流通する流体に対する前記蓄電素子の熱伝達量の平均値をｑｏ、前記両端の間に配置される複数の蓄電素子の熱伝達量であって、前記内部通風路を流通する流体に対する前記蓄電素子の熱伝達量の平均値をｑｉとしたとき、ｑｏ／ｑｉ＞１の関係を満たす、
蓄電装置。
【００１３】
かかる構成によれば、複数の蓄電素子のうち、前記第一方向の両端に配置される蓄電素子は、該両端の間に配置される蓄電素子よりも熱交換効率が高くなる。そのため、蓄電装置は、複数の蓄電素子のうち、前記第一方向の両端に配置される蓄電素子を、該両端の間に配置される蓄電素子よりも放熱しやすくなる。
【００１４】
従って、前記蓄電装置は、前記第一方向の両端に配置される蓄電素子の温度が該両端の間に配置される蓄電素子の温度よりも高まることを抑えることができる。
【００１５】
また、本発明の一態様として、
前記外部通風路は、前記流体が流通する方向に直交する方向の断面の面積が、前記内部通風路よりも大きくなる、
ようにしてもよい。
【００１６】
このようにすれば、外部通風路は、内部通風路よりも多くの流体を流通させることができる。そのため、複数の蓄電素子のうち、前記第一方向の両端に配置される蓄電素子のそれぞれは、該両端の間に配置される蓄電素子のそれぞれよりも多くの流体によって冷却される。
【００１７】
従って、前記蓄電装置は、前記第一方向の両端に配置される各蓄電素子の温度が該両端の間に配置される各蓄電素子の温度よりも高まることを抑えることができる。
【００１８】
この場合、
前記外部通風路における前記蓄電素子の冷却面積は、前記内部通風路における前記蓄電素子の冷却面積よりも大きくなる、
ようにしてもよい。
【００１９】
このようにすれば、外部通風路は、内部通風路よりも多くの流体を蓄電素子に接触させることができる。そのため、上記の蓄電装置は、前記第一方向の両端に配置される各蓄電素子の温度が前記第一方向の両端の間に配置される各蓄電素子の温度よりも高まることを抑えることができる。
【００２０】
本発明の他態様として、
前記外部スペーサには、第一方向における前記複数の蓄電装置の両端を挟むように配置される一対の外部スペーサが含まれ、
前記内部スペーサには、前記第一方向で隣り合う蓄電素子の間のそれぞれに配置される複数の内部スペーサが含まれ、
前記複数の内部スペーサによって形成される内部通風路のそれぞれは、前記流体が流通する方向に直交する方向の断面の面積が同一又は略同一であり、
前記一対の外部スペーサによって形成される外部通風路のそれぞれは、前記流体が流通する方向に直交する方向の断面の面積が、前記内部通風路における面積よりも大きくなる、
ようにしてもよい。
【００２１】
このようにしても、複数の蓄電素子のうち、前記第一方向の両端に配置される蓄電素子の熱交換率を該両端の間に配置される蓄電素子の熱交換効率よりも高めることができる。従って、前記蓄電装置は、前記第一方向の両端に配置される蓄電素子の温度が該両端の間に配置される蓄電素子の温度よりも高まることを抑えることができる。また、前記蓄電装置は、外部スペーサの外部通風路の断面積を変化させるのみで、熱伝達量を変化させることもできる。
【００２２】
本発明の別の態様として、
前記外部スペーサは、前記第一方向で隣り合う蓄電素子と間隔をあけて配置される対向部と、該対向部から該蓄電素子に向かって延出する複数の接触部と、を有し、
前記内部スペーサは、前記第一方向で隣り合う蓄電素子に沿って形成される当接部であって、該蓄電素子に当接する複数の当接部と、該複数の当接部間を繋ぐ複数の連設部と、を有し、
前記外部スペーサの前記複数の接触部は、前記内部スペーサの前記複数の連設部と、前記第一方向視において重なる位置に配置される、
ようにしてもよい。
【００２３】
このようにすれば、前記外部スペーサの複数の接触部のそれぞれと、前記内部スペーサの複数の連設部のそれぞれとが前記第一方向で並んだ状態になる。すなわち、前記外部スペーサの複数の接触部のそれぞれが並ぶ間隔と、内部スペーサの前記複数の連設部のそれぞれが並ぶ間隔とを一致又は略一致させることができる。
【００２４】
そのため、各外部スペーサ及び各内部スペーサは、前記第一方向で隣り合う構成に対して荷重を効率よく伝達することができるようになる。
【００２５】
また、本発明の別の蓄電装置は、
第一方向に並ぶ複数の蓄電素子と、
前記複数の蓄電素子の間に配置される内部スペーサと、
前記蓄電素子群の端部に配置される外部スペーサと、を備え、
前記内部スペーサは、前記第一方向で隣り合う蓄電素子とともに内部通風路を形成し、
前記外部スペーサは、前記第一方向で隣り合う蓄電素子とともに外部通風路を形成し、
前記複数の蓄電素子のうち前記第一方向の両端に配置された一対の蓄電素子の冷却面積の平均値をＡｏ、該一対の蓄電素子の間に配置される複数の蓄電素子の冷却面積の平均値をＡｉ、前記一対の蓄電素子に隣り合う前記外部通風路及び前記内部通風路の断面積の平均値をａｏ、前記一対の蓄電素子の間に配置される複数の蓄電素子に隣り合う内部通風路の断面積の平均値をａｉ、としたとき、Ａｏ×√ａｏ＞Ａｉ×√ａｉの関係を満たす。
【００２６】
かかる構成によれば、外部通風路は、内部通風路よりも多くの流体を流通させることができる。これにより、複数の蓄電素子のうち、前記第一方向の両端に配置される蓄電素子は、該両端の間に配置される蓄電素子よりも熱交換効率が高くなる。そのため、蓄電装置は、複数の蓄電素子のうち、前記第一方向の両端に配置される蓄電素子を、該両端の間に配置される蓄電素子よりも放熱しやすくなる。
【００２７】
従って、前記蓄電装置は、前記第一方向の両端に配置される蓄電素子の温度が該両端の間に配置される蓄電素子の温度よりも高まることを抑えることができる。
【発明の効果】
【００２８】
以上より、本発明によれば、一方向において両端に配置される電池セル温度が高くなることを抑えることができる蓄電装置を提供することができる。
【図面の簡単な説明】
【００２９】
【図１】図１は、本発明の一実施形態に係る蓄電装置の斜視図である。
【図２】図２は、同実施形態に係る蓄電装置に係る蓄電素子の斜視図である。
【図３】図３は、同実施形態に係る蓄電装置に係る蓄電素子の正面図である。
【図４】図４は、同実施形態に係る蓄電装置の斜視図である。
【図５】図５は、同実施形態に係る蓄電装置の内部スペーサ及び外部スペーサ及び蓄電素子の斜視図である。
【図６】図６は、同実施形態に係る蓄電装置の断面図である。
【図７】図７は、本発明の実施例１，２における蓄電素子の冷却面積の説明図である。
【図８】図８は、本発明の実施例１，２における通風路の断面積の説明図である。
【図９】図９は、本発明の実施例１，２における各蓄電素子の温度の測定結果のグラフである。
【発明を実施するための形態】
【００３０】
以下、本発明の蓄電装置の一実施形態について、図面を参照しつつ説明する。尚、本実施形態の各構成部材の名称は、本実施形態におけるものであり、背景技術における各構成部材の名称と異なる場合がある。
【００３１】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００３２】
蓄電素子１は、図２及び図３に示すように、正極及び負極を含む電極体と、電極体を収容するケース１０と、ケース１０の外面上に配置された一対の外部端子１１とを備える。
【００３３】
ケース１０は、開口を有するケース本体１００と、ケース本体１００の開口を閉じる蓋板１０１であって、外面上に一対の外部端子１１が配置される蓋板１０１とを有する。
【００３４】
ケース本体１００は、閉塞部１００ａと（図３参照）、該閉塞部１００ａを取り囲むように、該閉塞部１００ａの周縁に接続された筒状の胴部１００ｂとを備える。
【００３５】
胴部１００ｂは、間隔をあけて互いに対向する一対の第一壁１００ｃと、一対の第一壁１００ｃを挟んで互いに対向する一対の第二壁１００ｄとを備える。
【００３６】
第一壁１００ｃ及び第二壁１００ｄのそれぞれは、矩形状に形成される。すなわち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。これに伴い、隣り合う第一壁１００ｃの端縁及び第二壁１００ｄの端縁は、互いに全長に亘って接続される。これにより、胴部１００ｂは、角筒状に形成されている。胴部１００ｂの一端は、閉塞部１００ａによって閉塞されている。これに対し、胴部１００ｂの他端は、開口し、蓋板１０１によって閉塞される。
【００３７】
本実施形態において、第一壁１００ｃの表面積は、第二壁１００ｄの表面積よりも広くなっている。これに伴い、胴部１００ｂは、扁平角筒状に形成される。
【００３８】
本実施形態に係る蓄電装置は、複数の蓄電素子１を備える。複数の蓄電素子１のそれぞれは、一方向に整列する。本実施形態において、複数の蓄電素子１のそれぞれは、ケース１０の第一壁１００ｃを一方向に向けて整列している。蓄電装置は、隣り合う二つの蓄電素子１の外部端子１１を互いに電気的に接続するバスバーを備える。
【００３９】
なお、以下の説明において、便宜上、蓄電素子１の整列する方向（第一方向）をＸ軸方向という。また、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００４０】
スペーサ２は、絶縁性を有する。スペーサ２は、蓄電素子１のケース１０（胴部１００ｂの第一壁１００ｃ）と隣り合うベースと、該ベースに隣り合う蓄電素子１の位置ずれを防止する規制部とを有する。さらに、スペーサ２は、Ｘ軸方向で隣り合う蓄電素子１とともに通風路を形成する風路形成部を有する。
【００４１】
スペーサ２について、より具体的に説明する。蓄電装置は、上述のように、複数の蓄電素子１を備える。そのため、蓄電装置は、Ｘ軸方向で複数の蓄電素子１のそれぞれと隣り合うように配置される複数のスペーサ２を備える。これに伴い、蓄電装置は、図４に示すように、２種類のスペーサ２（２Ａ，２Ｂ）を備える。すなわち、蓄電装置は、スペーサ２として、隣り合う二つの蓄電素子１の間のそれぞれに配置されるスペーサ（以下、内部スペーサという）２Ａと、Ｘ軸方向において複数の蓄電素子１の両端を挟むように配置されるスペーサ（以下、外部スペーサという）２Ｂとを備える。
【００４２】
まず、内部スペーサ２Ａについて説明する。内部スペーサ２Ａは、図５に示すように、蓄電素子１（ケース本体１００の第一壁１００ｃ）に隣り合うベース２０Ａと、該ベース２０Ａに隣り合う二つの蓄電素子１の位置ずれを防止する規制部２１Ａとを有する。
【００４３】
内部スペーサ２Ａのベース２０Ａは、二つの蓄電素子１に挟み込まれる。そのため、内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。
【００４４】
内部スペーサ２Ａのベース２０Ａは、蓄電素子１の蓋板１０１に対応する位置に配置される第一端と、該第一端とは反対側の第二端であって、蓄電素子１の閉塞部１００ａに対応する位置に配置される第二端とを有する。また、内部スペーサ２Ａのベース２０Ａは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００４５】
内部スペーサ２Ａのベース２０Ａは、該ベース２０Ａの第一端と第三端とが接続される部分である第一角部と、第一端と第四端とが接続される部分である第二角部とを有する。また、内部スペーサ２Ａのベース２０Ａは、第二端と第三端とが接続される部分である第三角部と、第二端と第四端とのそれぞれが接続される部分である第四角部とを有する。
【００４６】
なお、内部スペーサ２Ａのベース２０Ａの第一端及び第二端は、Ｙ軸方向に延びる。そして、内部スペーサ２Ａのベース２０Ａの第三端及び第四端は、Ｚ軸方向に延びる。そのため、内部スペーサ２Ａのベース２０Ａは、略矩形状に形成される。また、内部スペーサ２Ａのベース２０Ａは、蓄電素子１の第一壁１００ｃと略同等の大きさで形成される。
【００４７】
図６に示すように、複数の内部スペーサ２Ａのそれぞれは、Ｘ軸方向で隣り合う蓄電素子１のそれぞれとともに通風路（以下、内部通風路とする）２２Ａを形成する。そのため、複数の内部スペーサ２Ａのそれぞれは、Ｘ軸方向で隣り合う二つの蓄電素子１のうちの一方の蓄電素子１とともに内部通風路２２Ａ（２２０Ａ）を形成する風路形成部２３Ａ(以下、第一の風路形成部２３０Ａとする)と、Ｘ軸方向で隣り合う二つの蓄電素子１のうちの他方の蓄電素子１とともに内部通風路２２Ａ（２２１Ａ）を形成する内部風路形成部２３Ａ(以下、第二の風路形成部２３１Ａとする)とを備える。
【００４８】
より具体的に説明する。本実施形態に係る蓄電素子１において、内部スペーサ２Ａのベース２０Ａは、矩形波形状に形成される。
【００４９】
また、内部スペーサ２Ａは、上述のように、隣り合う二つの蓄電素子１の間に配置される。そのため、内部スペーサ２Ａは、Ｘ軸方向で隣り合う蓄電素子１に当接する当接部２００Ａ，２０１Ａであって、該蓄電素子１に沿って形成される当接部２００Ａ，２０１Ａを有する。
【００５０】
本実施形態において、内部スペーサ２Ａのベース２０Ａは、Ｘ軸方向で隣り合う二つの蓄電素子１のうちの一方の蓄電素子１に当接する当接部（以下、第一当接部とする）２００Ａと、Ｘ軸方向で隣り合う二つの蓄電素子１のうちの他方の蓄電素子１に当接する当接部（以下、第二当接部とする）２０１Ａとを有する。これに伴い、内部スペーサ２Ａのベース２０Ａは、第一当接部２００Ａと第二当接部２０１Ａとの間に位置する連設部２０２Ａを有する。
【００５１】
第一当接部２００Ａは、Ｙ軸方向に長手をなしている。第二当接部２０１Ａは、Ｙ軸方向に長手をなしている。
【００５２】
連設部２０２Ａは、第一当接部２００Ａと第二当接部２０１Ａとに繋がる。また、連設部２０２Ａは、隣り合う蓄電素子１の間でＸ軸方向とＹ軸方向とに沿って延びる（図５参照）。
【００５３】
本実施形態において、内部スペーサ２Ａのベース２０Ａは、複数の第一当接部２００Ａと、複数の第二当接部２０１Ａとを有する。そして、各第一当接部２００Ａと各第二当接部２０１Ａとは、内部スペーサ２Ａのベース２０Ａの第一端と第二端とが並ぶ方向で交互に配置される。これに伴い、内部スペーサ２Ａのベース２０Ａは、複数の連設部２０２Ａを有する。
【００５４】
そのため、内部スペーサ２Ａは、Ｚ軸方向で隣り合う二つの連設部２０２Ａと、該二つの連設部２０２Ａのそれぞれに繋がる第二当接部２０１Ａ（第二当接部２０１Ａにおける蓄電素子１と当接する面とは反対側の面）とによって、ベース２０Ａの第一面に内部通風路２２Ａ（２２０Ａ）を形成する。
【００５５】
すなわち、第一の通風路形成部２３０Ａは、Ｚ軸方向で隣り合う二つの連設部２０２Ａ、及び該二つの連設部２０２Ａのそれぞれに繋がる第二当接部２０１ＡがＸ軸方向の一方で隣り合う蓄電素子１とともに一つの内部通風路２２Ａ（２２０Ａ）を形成するように構成される。
【００５６】
また、内部スペーサ２Ａは、Ｚ軸方向で隣り合う二つの連設部２０２Ａと、該二つの連設部２０２Ａのそれぞれに繋がる第一当接部２００Ａ（第一当接部２００Ａにおける蓄電素子１と当接する面とは反対側の面）とによって、該内部スペーサ２Ａのベース２０Ａの第二面に内部通風路２２Ａ（２２１Ａ）を形成する。
【００５７】
すなわち、第二の通風路形成部２３１Ａは、Ｚ軸方向で隣り合う二つの連設部２０２Ａ、及び該二つの連設部２０２Ａのそれぞれに繋がる第一当接部２００ＡとがＸ軸方向の他方で隣り合う蓄電素子１とともに一つの内部通風路２２Ａ（２２１Ａ）を形成するように構成される。
【００５８】
これにより、本実施形態に蓄電装置では、複数の第一の風路形成部２３０ＡがＺ軸方向で間隔をあけて配置される。すなわち、複数の第一の風路形成部２３０Ａと複数の第二の風路形成部２３１ＡとがＺ軸方向で交互に並ぶように配置されている。
【００５９】
なお、内部スペーサ２Ａのベース２０Ａの第一面に形成される内部通風路２２０Ａと、内部スペーサ２Ａのベース２０Ａの第二面に形成される内部通風路２２１Ａとは、断面積が同一又は略同一となるように形成されている。
【００６０】
このようにして、内部スペーサ２Ａは、ベース２０Ａの第一面と蓄電素子１との間、及び内部スペーサ２Ａのベース２０Ａの第二面と蓄電素子１との間のそれぞれに内部通風路２２Ａを形成する。
【００６１】
上述のように、内部スペーサ２Ａは、隣り合う二つの蓄電素子１の間に配置される。そのため、図５に示すように、規制部２１Ａは、内部スペーサ２Ａに隣り合う二つの蓄電素子１の相対移動を規制すべく、内部スペーサ２Ａのベース２０Ａの第一面に隣り合う蓄電素子１と、内部スペーサ２Ａのベース２０Ａの第二面に隣り合う蓄電素子１とに向かって延びる。
【００６２】
より具体的に説明する。規制部２１Ａは、内部スペーサ２Ａのベース２０Ａの各角部に形成される。内部スペーサ２Ａは、規制部２１Ａとして、第一角部に形成される第一規制部２１０Ａと、第二角部に形成される第二規制部２１１Ａと、第三角部に形成される第三規制部２１２Ａ、第四角部に形成される第四規制部２１３Ａとを有する。
【００６３】
第一規制部２１０Ａ及び第二規制部２１１Ａは、内部スペーサ２Ａのベース２０Ａの第一面に隣り合う蓄電素子１と、内部スペーサ２Ａのベース２０Ａの第二面に隣り合う蓄電素子１とに向かって延びる。
【００６４】
第一規制部２１０Ａは、内部スペーサ２Ａのベース２０Ａの両側に配置される蓄電素子１のそれぞれの蓋板１０１と胴部１００ｂの一方の第二壁１００ｄとに当接する。そして、第二規制部２１１Ａは、内部スペーサ２Ａのベース２０Ａの両側に配置される蓄電素子１のそれぞれの蓋板１０１と胴部１００ｂの他方の第二壁１００ｄとに当接する。
【００６５】
第三規制部２１２Ａ及び第四規制部２１３Ａは、内部スペーサ２Ａのベース２０Ａの第一面に隣り合う蓄電素子１と内部スペーサ２Ａのベース２０Ａの第二面に隣り合う蓄電素子１とに向かって延びる。
【００６６】
第三規制部２１２Ａは、内部スペーサ２Ａのベース２０Ａの両側に配置される蓄電素子１のそれぞれの閉塞部１００ａと、胴部１００ｂの一方の第二壁１００ｄとに当接する。そして、他方の第四規制部２１３Ａは、内部スペーサ２Ａのベース２０Ａの両側に配置される蓄電素子１の閉塞部１００ａと、胴部１００ｂの他方の第二壁１００ｄとに当接する。
【００６７】
次に、外部スペーサ２Ｂについて説明する。外部スペーサ２Ｂは、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００６８】
また、本実施形態に係る外部スペーサ２Ｂは、ベース２０Ｂと保持部材３の後述する終端部材３０とが対向する。すなわち、外部スペーサ２Ｂは、蓄電素子１と終端部材３０との間に配置される。
【００６９】
外部スペーサ２Ｂのベース２０Ｂは、Ｘ軸方向と直交するＹ軸方向及びＺ軸方向に広がっている。すなわち、ベース２０Ｂは、プレート状に形成される。外部スペーサ２Ｂのベース２０Ｂは、蓄電素子１の蓋板１０１に対応する位置に配置される第一端と、該第一端とは反対側の第二端であって、蓄電素子１の閉塞部１００ａに対応する位置に配置される第二端とを有する。また、外部スペーサ２Ｂのベース２０Ｂは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００７０】
外部スペーサ２Ｂのベース２０Ｂは、第一端と第三端とが接続される部分である第一角部と、第一端と第四端とが接続される部分である第二角部とを有する。また、外部スペーサ２Ｂのベース２０Ｂは、第二端と第三端とが接続される部分である第三角部と、第二端と第四端とのそれぞれが接続される部分である第四角部とを有する。
【００７１】
なお、外部スペーサ２Ｂのベース２０Ｂの第一端及び第二端は、Ｙ軸方向に延びる。そして、外部スペーサ２Ｂのベース２０Ｂの第三端及び第四端は、Ｚ軸方向に延びる。そのため、外部スペーサ２Ｂのベース２０Ｂは、略矩形状である。また、外部スペーサ２Ｂのベース２０Ｂは、蓄電素子１の第一壁１００ｃと略同等の大きさである。
【００７２】
本実施形態に係る外部スペーサ２Ｂのベース２０Ｂは、Ｘ軸方向で蓄電素子１と間隔をあけて並ぶ対向部２００Ｂと、該対向部２００Ｂから延出する複数の接触部（以下、内部接触部とする）２０１Ｂであって、Ｘ軸方向で隣り合う蓄電素子１に当接する複数の内部接触部２０１Ｂと、を有する。
【００７３】
上述のように、外部スペーサ２Ｂのベース２０Ｂは、略矩形状に形成され、また、蓄電素子１の第一壁１００ｃと略同等の大きさである。そのため、対向部２００Ｂも、略矩形状に形成され、蓄電素子１の第一壁１００ｃと略同等の大きさで形成される。
【００７４】
複数の内部接触部２０１Ｂのそれぞれは、Ｙ軸方向で真っ直ぐに延びる。そして、図６に示すように、複数の内部接触部２０１Ｂのそれぞれは、Ｚ軸方向で間隔をあけて配置されている。
【００７５】
本実施形態において、複数の内部接触部２０１Ｂのそれぞれは、Ｘ軸方向視において内部スペーサ２Ａの連設部２０２Ａと重なる位置に配置されている。すなわち、複数の内部接触部２０１Ｂのそれぞれは、内部スペーサ２Ａの連設部２０２ＡとＸ軸方向で並ぶように配置されている。
【００７６】
図６に示すように、外部スペーサ２Ｂは、Ｘ軸方向で隣り合う蓄電素子１とともに通風路（以下、外部通風路とする）２４Ｂを形成する。これに伴い、本実施形態に係る外部スペーサ２Ｂは、Ｘ軸方向で隣り合う蓄電素子１とともに外部通風路２４Ｂを形成する風路形成部２５Ｂを有する。
【００７７】
上述のように、外部スペーサ２Ｂにおいて、複数の内部接触部２０１Ｂのそれぞれは、Ｘ軸方向で隣り合う蓄電素子１に当接する。そのため、外部スペーサ２Ｂは、Ｚ軸方向で隣り合う二つの内部接触部２０１Ｂと、該二つの内部接触部２０１Ｂのそれぞれに繋がる対向部２００Ｂとによって、Ｘ軸方向で隣り合う蓄電素子１との間に外部通風路２４Ｂを形成する。
【００７８】
すなわち、風路形成部２５Ｂは、Ｚ軸方向で隣り合う二つの内部接触部２０１Ｂ、及び該二つの内部接触部２０１Ｂのそれぞれに繋がる対向部２００ＢがＸ軸方向で隣り合う蓄電素子１とともに一つの外部通風路２４Ｂを形成するように構成される。
【００７９】
ここで、蓄電素子１と内部通風路２２Ａと外部通風路２４Ｂとの関係について説明する。蓄電装置は、複数の蓄電素子１のうちＸ軸方向の両端に配置された一対の蓄電素子１の熱伝達量であって、内部通風路２２Ａ（２２０Ａ）及び外部通風路２４Ｂを流通する流体に対する蓄電素子１の熱伝達量の平均値をｑｏ、該両端の間に配置される複数の蓄電素子１の熱伝達量であって、内部通風路２２Ａ（２２０Ａ，２２１Ａ）を流通する流体に対する蓄電素子１の熱伝達量の平均値をｑｉとしたときに、ｑｏ／ｑｉ＞１の関係を満たすように構成される。
【００８０】
各外部スペーサ２Ｂにおいて、外部通風路２４Ｂの断面積（流体が流通する方向に対して直交する方向における各外部通風路２４Ｂの断面の面積の和）は、内部スペーサ２Ａの内部通風路２２０Ａの断面積（流体が流通する方向に対して直交する方向における各内部通風路２２０Ａの断面の面積の和）よりも大きくなっている。また、外部通風路２４Ｂの断面積は、内部スペーサ２Ａの内部通風路２２１Ａの断面積（流体が流通する方向に対して直交する方向における各内部通風路２２１Ａの断面の面積の和）よりも大きくなっている。
【００８１】
そして、各外部スペーサ２Ｂにおいて、外部通風路２４Ｂの蓄電素子１に対する冷却面積（蓄電素子１の各外部通風路２４Ｂに露出している部分の面積の和）は、内スペーサ２Ａの内部通風路２３０Ａ（２３Ａ）の蓄電素子１に対する冷却面積（蓄電素子１の各内部通風路２２０Ａに露出している部分の面積の和）よりも大きくなっている。
【００８２】
また、各外部スペーサ２Ｂにおいて、外部通風路２４Ｂの蓄電素子１に対する冷却面積（蓄電素子１の各外部通風路２４Ｂに露出している部分の面積の和）は、内スペーサ２Ａの内部通風路２３１Ａ（２３Ａ）の蓄電素子１に対する冷却面積（蓄電素子１の各内部通風路２２１Ａに露出している部分の面積の和）よりも大きくなっている。
【００８３】
上述のように、外部スペーサ２Ｂの第一面は、蓄電素子１と隣り合う。規制部２１Ｂは、外部スペーサ２Ｂの第一面に隣り合う蓄電素子１の相対移動を規制すべく、外部スペーサ２Ｂのベース２０Ｂの第一面と隣り合う蓄電素子１に向かって延びる。
【００８４】
より具体的に説明する。外部スペーサ２Ｂは、規制部２１Ｂとして、ベース２０Ｂの第一端に形成される規制部２１Ｂと、ベース２０Ｂの第二端に形成される規制部２１Ｂとを有する。
【００８５】
外部スペーサ２Ｂは、規制部２１Ｂとして、第一角部に形成される第一規制部２１０Ｂと、第二角部に形成される第二規制部２１１Ｂと、第三角部に形成される第三規制部２１２Ｂ、第四角部に形成される第四規制部２１３Ｂとを有する。
【００８６】
上述のように、外部スペーサ２Ｂのベース２０Ｂの第一面は、蓄電素子１と対向する。そのため、第一規制部２１０Ｂ及び第二規制部２１１Ｂは、外部スペーサ２Ｂのベース２０Ｂの第一面と隣り合う蓄電素子１に向かって延びる。
【００８７】
第一規制部２１０Ｂは、外部スペーサ２Ｂのベース２０Ｂの第一面と隣り合う蓄電素子１の蓋板１０１の第一端と胴部１００ｂの第二壁１００ｄとに当接する。そして、第二規制部２１１Ｂは、外部スペーサ２Ｂのベース２０Ｂの第一面と隣り合う蓄電素子１の蓋板１０１の第二端と胴部１００ｂの第二壁１００ｄとに当接する。
【００８８】
上述のように、外部スペーサ２Ｂのベース２０Ｂの第一面は、蓄電素子１と対向する。そのため、第三規制部２１２Ｂ及び第四規制部２１３Ｂは、外部スペーサ２Ｂのベース２０Ｂの第一面と隣り合う蓄電素子１に向かって延びる。
【００８９】
第三規制部２１２Ｂは、外部スペーサ２Ｂのベース２０Ｂの第一面と隣り合う蓄電素子１の閉塞部１００ａの第一端と胴部１００ｂの第二壁１００ｄとに当接する。そして、第四規制部２１３Ｂは、外部スペーサ２Ｂのベース２０Ｂの第一面と隣り合う蓄電素子１の閉塞部１００ａの第二端と胴部１００ｂの第二壁１００ｄとに当接する。
【００９０】
本実施形態に係る外部スペーサ２Ｂは、上述のように、蓄電素子１を介して該内部スペーサ２Ａと隣り合うように配置される。すなわち、蓄電装置は、一対の外部スペーサ２Ｂを備える。外部スペーサ２Ｂは、Ｘ軸方向における複数の蓄電素子１の両端のそれぞれに配置される。すなわち、蓄電装置では、Ｘ軸方向で複数の蓄電素子１を挟み込むように一対の外部スペーサ２Ｂが配置される。
【００９１】
また、一対の外部スペーサ２Ｂのそれぞれは、上述のように、第一面が蓄電素子１のケース本体１００と対向する。そのため、一対の外部スペーサ２Ｂのそれぞれは、互いの外部スペーサ２Ｂのベース２０Ｂの第一面が互いに向かい合うようにして配置されている。従って、蓄電装置において、一対の外部スペーサ２Ｂのそれぞれは、Ｘ軸方向において互いに対称となるように配置されている。
【００９２】
保持部材３は、上述のように、蓄電素子１及びスペーサ２をひとまとめに保持する。
【００９３】
本実施形態において、保持部材３は、金属製である。保持部材３は、Ｘ軸方向における複数の蓄電素子１の両端を直接的または間接的に挟み込む一対の終端部材３０と、該一対の終端部材３０のそれぞれを連結するフレーム３１とを備える。
【００９４】
上述のように、蓄電装置は、複数の蓄電素子１のうち、Ｘ軸方向における両側に配置されている蓄電素子１に隣り合う外部スペーサ２Ｂを備える。そのため、一対の終端部材３０のそれぞれは、図４に示すように、各外部スペーサ２Ｂと隣り合う位置に配置される。
【００９５】
図５に戻り、一対の終端部材３０のそれぞれは、外部スペーサ２Ｂと対向する第一面と、該第一面とは反対側の第二面とを有する。一対の終端部材３０のそれぞれは、外部スペーサ２Ｂに当接する圧接部３００を有する。
【００９６】
終端部材３０は、蓄電素子１の蓋板１０１と対応する位置に配置される第一端と、該第一端とは反対側の第二端（蓄電素子１の閉塞部１００ａと対応する位置に配置される第二端）とを有する。また、終端部材３０は、蓄電素子１の一方の第二壁１００ｄと対応する位置に配置される第三端と、該第三端とは反対側の第四端（蓄電素子１の他方の第二壁１００ｄと対応する位置に配置される第四端）とを有する。
【００９７】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【００９８】
そして、圧接部３００は、外部スペーサ２Ｂの軸部２３Ｂに対応する位置に形成される挿込穴３００ａを有する。また、圧接部３００は、各角部のそれぞれに形成される複数（本実施形態では、四つ）の貫通穴３００ｂを有する。
【００９９】
フレーム３１は、一対の終端部材３０間に亘って延びる第一接続部３１０であって、蓄電素子１の蓋板１０１と対応する位置に配置される第一接続部３１０と、一対の終端部材３０間に亘って延びる第二接続部３１１であって、蓄電素子１の閉塞部１００ａと対応する位置に配置される第二接続部３１１とを有する。
【０１００】
また、フレーム３１は、第一接続部３１０と第二接続部３１１とに繋がる一対の架橋部３１２を有する。
【０１０１】
本実施形態に係るフレーム３１は、第一接続部３１０と第二接続部３１１とに架橋部３１２が繋がることによって枠体状に形成される。これに伴い、本実施形態における蓄電装置では、Ｙ軸方向における蓄電素子１の一方側に配置される第一接続部３１０、第二接続部３１１、架橋部３１２を有する部材を第一連結部材３１Ａとし、Ｙ軸方向における蓄電素子１の他方側に配置される第一接続部３１０、第二接続部３１１、架橋部３１２を有する部材を第二連結部材３１Ｂとして以下の説明を行う場合がある。
【０１０２】
そして、フレーム３１は、終端部材３０と連結される固定部３１３を有する。
【０１０３】
第一接続部３１０は、長手をなす方向に第一端と該第一端とは反対側の第二端とを有する。
【０１０４】
また、第一接続部３１０は、長手をなす方向と直交する方向に屈曲している。第一接続部３１０において、屈曲部分を境とする一方の部分は、蓄電素子１の蓋板１０１と対応する位置に配置される。第一接続部３１０において、屈曲部分を境とする他方は、蓄電素子１の第二壁１００ｄと対応する位置に配置される。
【０１０５】
第二接続部３１１は、長手をなす方向に第一端と該第一端とは反対側の第二端とを有する。
【０１０６】
第二接続部３１１は、長手をなす方向と直交する方向に屈曲している。そして、第二接続部３１１は、屈曲部分を境とする一方の部分が蓄電素子１の蓋板１０１と対応する位置に配置され、屈曲部分を境とする他方の部分が蓄電素子１の第二壁１００ｄと対応する位置に配置される。
【０１０７】
架橋部３１２は、第一接続部３１０の第一端と第二接続部３１１の第一端とに繋がる第一架橋部３１２ａと、第一接続部３１０の第二端と第二接続部３１１の第二端とに繋がる第二架橋部３１２ｂとを有する。
【０１０８】
固定部３１３は、第一接続部３１０の第一端と第二端とに形成される一対の第一固定部３１３ａと、第二接続部３１１の第一端と第二端とに形成される一対の第二固定部３１３ｂとを有する。
【０１０９】
一方の第一固定部３１３ａは、一方の終端部材３０の貫通穴３００ｂ周りの部分と対向する。他方の第一固定部３１３ａは、他方の終端部材３０の貫通穴３００ｂ周りの部分と対向する。そして、一対の第一固定部３１３ａのそれぞれは、貫通穴３００ｂと対応する位置に第一穴部３１３ｃが形成されている。
【０１１０】
そのため、第一接続部３１０は、終端部材３０の貫通穴３００ｂと、第一固定部３１３ａの第一穴部３１３ｃとに挿通したボルトにナットを螺合させることによって該終端部材３０に連結される。
【０１１１】
一方の第二固定部３１３ｂは、一方の終端部材３０の貫通穴３００ｂ周りの部分と対向する。他方の第二固定部３１３ｂは、他方の終端部材３０の貫通穴３００ｂ周りの部分と対向する。そして、一対の第二固定部３１３ｂのそれぞれは、貫通穴３００ｂと対応する位置に第二穴部３１３ｄが形成されている。
【０１１２】
そのため、第二接続部３１１は、終端部材３０の貫通穴３００ｂと、第二固定部３１３ｂの第二穴部３１３ｄとに挿通したボルトにナットを螺合させることによって該終端部材３０に連結される。
【０１１３】
インシュレータ４は、絶縁性を有する材料で構成されている。そして、インシュレータ４は、第一接続部３１０と、スペーサ２（内部スペーサ２Ａ及び外部スペーサ２Ｂ）との間に配置される第一絶縁部４０と、第二接続部３１１とスペーサ２（内部スペーサ２Ａ及び外部スペーサ２Ｂ）との間に配置される第二絶縁部４１とを有する。
【０１１４】
インシュレータ４は、第一絶縁部４０と第二絶縁部４１とに繋がる第三絶縁部４２を有する。
【０１１５】
第一絶縁部４０は、Ｘ軸方向に長手をなす。また、第一絶縁部４０は、蓄電素子１とフレーム３の第一接続部３１０との間に配置されている。すなわち、第一絶縁部４０は、長手をなす方向と直交する方向に屈曲する。そして、第一絶縁部４０における、屈曲部分を境とする一方の部分は、第一接続部３１０の屈曲部分を境とする一方の部分と当接する。また、第一絶縁部４０における、屈曲部分を境とする他方の部分は、第一接続部３１０の屈曲部分を境とする他方の部分と当接する。
【０１１６】
第二絶縁部４１は、Ｘ軸方向に長手をなす。また、第二絶縁部４１は、蓄電素子１とフレーム３の第二接続部３１１との間に配置されている。すなわち、第二絶縁部４１は、長手をなす方向と直交する方向に沿って屈曲する。そして、第二絶縁部４１における、屈曲部分を境とする一方の部分は、第二接続部３１１の屈曲部分を境とする一方の部分と当接する。第二絶縁部４１における、屈曲部分を境とする他方の部分は、第二接続部３１１の屈曲部分を境とする他方の部分と当接する。
【０１１７】
本実施形態に係るインシュレータ４は、二つの第三絶縁部４２を有する。より具体的に説明する。インシュレータ４では、第一絶縁部４０の第一端と第二絶縁部４１の第一端、及び第一絶縁部４０の第二端と第二絶縁部４１の第二端が第三絶縁部４２によって繋がれている。
【０１１８】
以上のように、本実施形態に係る蓄電装置は、複数の蓄電素子１のうちＸ軸方向の両端に配置された一対の蓄電素子１の熱伝達量の平均値をｑｏ、該両端の間に配置される複数の蓄電素子１の熱伝達量の平均値をｑｉとしたときに、ｑｏ／ｑｉ＞１の関係を満たすように構成されているため、Ｘ軸方向の両端に配置された各蓄電素子１は、  Ｘ軸方向の両端に配置される各蓄電素子１は、該両端の間に配置される複数の蓄電素子１よりも熱交換効率が高くなる。そのため、蓄電装置は、複数の蓄電素子１のうち、Ｘ軸方向の両端に配置される各蓄電素子１を、該両端の間に配置される各蓄電素子１よりも放熱しやすくなる。
【０１１９】
従って、本実施形態に係る蓄電装置は、Ｘ軸方向の両端に配置される各蓄電素子１のそれぞれの温度がＸ軸方向の両端の間に配置される各蓄電素子１の温度よりも高まることを抑えることができる。これにより、蓄電装置は、各蓄電素子１の温度がばらつくことを抑えることができる。
【０１２０】
そして、外部通風路２４Ｂは、流体が流通する方向に直交する方向の断面の面積が、内部通風路２２０Ａにおける流体が流通する方向に直交する方向の断面の面積よりも大きくなっている。また、外部通風路２４Ｂは、内部通風路２２１Ａにおける流体が流通する方向に直交する方向の断面の面積よりも大きくなっている。
【０１２１】
そのため、外部通風路２４Ｂは、内部通風路２２Ａよりも多くの流体を流通させることができる。これにより、蓄電装置は、複数の蓄電素子１のうち、Ｘ軸方向の両端に配置される蓄電素子１のそれぞれは、該両端の間に配置される蓄電素子１のそれぞれよりも多くの流体によって冷却することができる。
【０１２２】
また、本実施形態では、各内部スペーサ２Ａによって形成される内部通風路２２０Ａ，２２１Ａのそれぞれの断面の面積が同一であり、各外部スペーサ２Ｂによって形成される外部通風路２４Ｂの断面の面積が、内部通風路２２０Ａ，２２１Ａにおける面積よりも大きくなっている。さらに、蓄電装置は、外部スペーサ２Ｂの外部通風路２４Ｂの断面積を変化させるのみで、熱伝達量を変化させることもできる。
【０１２３】
そのため、蓄電装置では、Ｘ軸方向の両端に配置される蓄電素子１と、該両端の間に配置される蓄電素子１とに温度のばらつきが生じることを抑えつつ、Ｘ軸方向の両端間に配置される複数の蓄電素子１同士に温度のばらつきが生じることを抑えることもできる。従って、蓄電装置は、複数の蓄電素子１の温度がばらつくことをより確実に抑えることができる。
【０１２４】
外部通風路２４Ｂにおける蓄電素子１の冷却面積は、内部通風路２２０Ａにおける蓄電素子１の冷却面積よりも大きくなっている。また、外部通風路２４Ｂにおける蓄電素子１の冷却面積は、内部通風路２２１Ａにおける蓄電素子１の冷却面積よりも大きくなっている。そのため、蓄電装置において、外部通風路２４Ｂは、内部通風路２２０Ａ、及び内部通風路２２１Ａよりも多くの流体を蓄電素子１に接触させることができる。
【０１２５】
さらに、外部スペーサ２Ｂの複数の内部接触部２０１Ｂは、内部スペーサ２Ａの複数の連設部２０２Ａと、Ｘ軸方向視において重なる位置に配置されている。そのため、
【０１２６】
このようにすれば、外部スペーサ２Ｂの複数の内部接触部２０１Ｂのそれぞれと、内部スペーサ２Ａの複数の連設部２０１ＡのそれぞれとがＸ軸方向で並んだ状態になる。すなわち、外部スペーサ２Ｂの複数の内部接触部２０１Ｂのそれぞれが並ぶ間隔と、内部スペーサ２Ａの複数の連設部２０１Ａのそれぞれが並ぶ間隔とを一致又は略一致させることができる。
【０１２７】
従って、各外部スペーサ２Ｂ及び各内部スペーサ２Ａは、Ｘ軸方向で隣り合う構成に対して荷重を効率よく伝達することができるようになる。
【０１２８】
なお、本発明に係る蓄電装置は、上記一実施形態に限定されるものではなく、本発明の要旨を逸脱しない範囲において種々変更を行うことは勿論である。
【０１２９】
上記実施形態において、内部スペーサ２Ａのベース２０Ａは、略矩形状であり、また、蓄電素子１の第一壁１００ｃと略同等の大きさになっている。しかしながら、内部スペーサ２Ａのベース２０Ａは、隣り合う二つの蓄電素子１のそれぞれの姿勢を対応させることができれば、略矩形状であるものに限定されず、また、蓄電素子１の第一壁１００ｃと略同等の大きさであるものにも限定されない。
【０１３０】
上記実施形態において、内部スペーサ２Ａのベース２０Ａは、矩形波形状にすることによって、該ベース２０Ａと蓄電素子１との間に通風路２２Ａを形成している。しかしながら、内部スペーサ２Ａのベース２０Ａは、第一面と蓄電素子１との間（第二面と蓄電素子１との間）に流体を通過させることができれば、ベース２０Ａの形状が矩形波形状であるものに限定されない。また、内部スペーサ２Ａのベース２０Ａと蓄電素子１との間に通風路２４Ｂを形成する必要がない場合、内部スペーサ２Ａのベース２０Ａは、平板状に形成されていてもよい。
【０１３１】
上記実施形態において、内部スペーサ２Ａの各規制部２１Ａは、ベース２０Ａの角部のそれぞれに形成されている。しかしながら、内部スペーサ２Ａの規制部２１Ａは、ベース２０Ａに対する蓄電素子１の位置を決定することができれば、ベース２０Ａに形成される位置が限定されるものではない。
【０１３２】
上記実施形態において、外部スペーサ２Ｂのベース２０Ｂは、略矩形状であり、且つ蓄電素子１の第一壁１００ｃと略同等の大きさである。しかしながら、ベース２０Ｂは、隣り合う蓄電素子１の姿勢と終端部材３０の姿勢とを対応させることができれば、ベース２０Ｂは、略矩形状に形成されているものに限定されず、また、蓄電素子１の第一壁１００ｃと略同等の大きさで形成されているものにも限定されない。
【０１３３】
上記実施形態において、外部スペーサ２Ｂは、ベース２０Ｂの角部のそれぞれに規制部２１Ｂが形成されている。しかしながら、規制部２１Ｂは、ベース２０Ｂに対して蓄電素子１を配置する位置を決定することができれば、ベース２０Ｂに形成される位置が限定されるものではない。
【０１３４】
上記実施形態において、特に言及しなかったが、蓄電装置は、外部スペーサ２Ｂと、内部スペーサ２Ａとを異なる材質で構成することによって、複数の蓄電素子１のうち、Ｘ軸方向において両端に配置される一対の蓄電素子１の流体に対する熱伝達量が該一対の蓄電素子１の間に配置される各蓄電素子１の流体に対する熱伝達量よりも大きくなるように構成してもよい。
【０１３５】
上記実施形態において、蓄電装置は、ｑｏ／ｑｉ＞１の関係を満たすように構成されていたが、これに限定されるものではない。例えば、蓄電装置は、複数の蓄電素子１のうちＸ軸方向の両端に配置された一対の蓄電素子１の冷却面積の平均値をＡｏ、該一対の蓄電素子１の間に配置される複数の蓄電素子１の冷却面積の平均値をＡｉ、前記一対の蓄電素子１に隣り合う外部通風路２４Ｂ及び内部通風路２２Ａの断面積の平均値ａｏ、Ｘ軸方向の両端の間に配置される複数の蓄電素子１に隣り合う内部通風路２２Ａの断面積の平均値をａｉ、としたとき、Ａｏ×√ａｏ＞Ａｉ×√ａｉの関係を満たすように構成されていてもよい。
【０１３６】
上記実施形態において、特に言及しなかったが、内部スペーサ２Ａでは、連設部２０２ＡのＸ軸方向における長さを変更すると、内部通風路２２０Ａ，２２１ＡのＸ軸方向における深さが変化し、第一当接部２００Ａ、及び第二当接部２０１ＡのＺ軸方向における長さを変更すると、内部通風路２２０Ａ，２２１ＡのＺ軸方向における幅が変化する。
【０１３７】
すなわち、内部スペーサ２Ａでは、連設部２０２ＡのＸ軸方向における長さや、第一当接部２００Ａ、及び第二当接部２０１ＡのＺ軸方向における長さを変更することによって、内部通風路２２０Ａ，２２１Ａの断面の面積や、蓄電素子１の冷却面積を変化させることができる。
【０１３８】
また、外部スペーサ２Ａでは、内部接触部２０１ＢのＸ軸方向における長さを変更すると、外部通風路２４ＢのＸ軸方向における深さが変化し、内部接触部２０１ＢのＺ軸方向における太さ（すなわち、内部接触部２０１Ｂの蓄電素子１に対する接触面積）を変更すると、外部通風路２４ＢのＺ軸方向における幅が変化する。
【０１３９】
すなわち、外部スペーサ２Ａでは、内部接触部２０１ＢのＸ軸方向における長さや、内部接触部２０１ＢのＺ軸方向における太さ（すなわち、内部接触部２０１Ｂの蓄電素子１に対する接触面積）を変更することによって、外部通風路２４Ｂの断面の面積や、蓄電素子１の冷却面積を変化させることができる。
【実施例１】
【０１４０】
続いて、実施例を挙げて蓄電素子１の熱伝達量ｑと、各蓄電素子１の電流値Ｙ（Ａ）との関係性を説明する。なお、本発明は、各実施例によって限定されるものではない。
【０１４１】
各蓄電素子１の熱伝達量ｑは、つぎの通り算出される。より具体的に説明する。Ｘ軸方向の両端に配置された一対の蓄電素子１の熱伝達量の平均値ｑｏは、下記数式１によって算出される。また、Ｘ軸方向の両端に配置された一対の蓄電素子１の間に配置される複数の蓄電素子１の熱伝達量の平均値ｑｉは、下記数式２によって算出される。
【数１】
2016031903.tif 000003
【数２】
2016031903.tif 000004
【０１４２】
ここで、Ａｏは、Ｘ軸方向の両端に配置された一対の蓄電素子１の冷却面積（ｍｍ２）の平均値を意味する。具体的に説明する。Ｘ軸方向の両端に配置された一対の蓄電素子１の冷却面積（ｍｍ２）の平均値Ａｏは、該両端に配置された一対の蓄電素子１のうち一方の蓄電素子１が外部通風路２４Ｂ及び内部通風路２２０Ａ（２２Ａ）と接触する面積の和と、該両端に配置された一対の蓄電素子１のうち他方の蓄電素子１が外部通風路２４Ｂ及び内部通風路２２１Ａ（２２Ａ）と接触する面積の和と、の平均値を意味する。
【０１４３】
なお、Ｘ軸方向の両端に配置された一対の蓄電素子１の外部通風路２４Ｂ及び内部通風路２２Ａと接触する面積とは、蓄電素子１における各外部通風路２４Ｂ及び各内部通風路２２Ａに露出している部分の面積の和を意味する。
【０１４４】
そのため、蓄電素子１が外部通風路２４Ｂと接触する面積の和は、図７に示すように、Ｚ軸方向における外部通風路２４Ｂの幅Ｗ１の和にＹ軸方向における蓄電素子１の長さを乗算して算出される。また、蓄電素子１が内部通風路２２Ａ（内部通風路２２０Ａ、又は内部通風路２２１Ａ）と接触する面積の和は、Ｚ軸方向における内部通風路２２Ａ（内部通風路２２０Ａ又は内部通風路２２１Ａ）の幅の和にＹ軸方向における蓄電素子１の長さを乗算して算出される。
【０１４５】
ａｏは、Ｘ軸方向の両端に配置された一対の蓄電素子１に隣り合う通風路（外部通風路２４Ｂ及び内部通風路２２Ａ（内部通風路２２０Ａ、又は内部通風路２２１Ａ）の断面積（ｍｍ２）の平均値を意味する。通風路の断面積（ｍｍ２）の平均値ａｏは、両端に配置された一対の蓄電素子１のうち一方の蓄電素子１に隣り合う各外部通風路２４Ｂ及び各内部通風路２２Ａ（内部通風路２２０Ａ、又は内部通風路２２１Ａ）の断面積の和と、両端に配置された一対の蓄電素子１のうち他方の蓄電素子１に隣り合う各外部通風路２４Ｂ及び各内部通風路２２Ａ（内部通風路２２０Ａ、又は内部通風路２２１Ａ）の断面積の和と、の平均値を意味する。
【０１４６】
なお、図８に示すように、両端に配置された一対の蓄電素子１に隣り合う通風路の断面積は、流体が流通する方向に対して直交する方向における通風路の断面の面積を意味する。
【０１４７】
Ｃｏは、冷却媒体の種類、冷却媒体の温度及び速度、蓄電素子１の温度、蓄電素子１のケース１０の熱伝導率、及びスペーサ２の熱伝導率等に依存する定数である。
【０１４８】
Ａｉは、Ｘ軸方向の両端の間に配置される各蓄電素子１の冷却面積（ｍｍ２）の平均値を意味する。具体的には、Ａｉは、各電素子１がＸ軸方向で隣り合う一対の内部通風路と接触する面積の和の平均値を意味する。
【０１４９】
なお、Ｘ軸方向の両端の間に配置される蓄電素子１の冷却面積とは、上述のように、蓄電素子１における、各内部通風路２２０Ａ，２２１Ａに露出している部分の面積の和を意味する（図８参照）。そのため、蓄電素子１が内部通風路２２０Ａ，２２１Ａと接触する面積の和は、Ｚ軸方向における内部通風路２２０Ａ，２２１Ａの幅の和にＹ軸方向における蓄電素子１の長さを乗算して算出される。
【０１５０】
ａｉは、Ｘ軸方向の両端の間に配置される各蓄電素子１に隣り合う各内部通風路２２０Ａ，２２１Ａの断面積（ｍｍ２）の平均値を意味する。具体的には、ａｉは、各蓄電素子１に隣り合う各内部通風路２２０Ａ，２２１Ａの断面積の和の平均値を意味する。
【０１５１】
なお、Ｘ軸方向の両端の間に配置される各蓄電素子１に隣り合う内部通風路２２０Ａ，２２１Ａの断面積は、上述のように、流体が流通する方向に対して直交する方向における内部通風路２２０Ａ，２２１Ａの断面の面積を意味する（図７参照）。
【０１５２】
Ｃｉは、冷却媒体の種類、冷却媒体の温度及び速度、蓄電素子１の温度、蓄電素子１のケース１０の熱伝導率、及びスペーサ２の熱伝導率等に依存する定数である。
【０１５３】
本実施形態では、各蓄電素子１のケース１０の材料及び厚みが同一であり、各スペーサ２（各内部スペーサ２Ａ及び各外部スペーサ２Ｂ）の材料が同一である。また、同一のダクトを用いて外部通風路及び内部通風路に同一の冷却媒体を流通させているため、各蓄電素子１に流通される冷却媒体の温度及び速度は略同一である。さらに、各蓄電素子１の温度が３℃程度変化するのみでは、Ｃｏ及びＣｉはほとんど変化しない。このため、ＣｏとＣｉの値は、Ｃｏ≒Ｃｉと近似することができる。
【０１５４】
このため、両端に配置された一対の蓄電素子１の熱伝達量の平均値ｑｏと、両端に配置された一対の蓄電素子１の間に配置される複数の蓄電素子の熱伝達量の平均値ｑｉとの比は、つぎの数式３によって算出される。
【数３】
2016031903.tif 000005
【０１５５】
実施例１の蓄電装置は、１８個の蓄電素子（Ｅ１〜Ｅ１８）を備えている。ここで、ＥＸにおけるＸの数字は、それぞれ、Ｘ軸方向において蓄電素子１が配置されている順番を意味する。つまり、Ｅ１及びＥ１８は、Ｘ軸方向において両端に配置される一対の蓄電素子１を意味し、Ｅ２〜Ｅ１７は、該一対の蓄電素子１の間に配置されている複数の蓄電素子をそれぞれ意味する。
【０１５６】
実施例１の蓄電装置は、複数の蓄電素子１のうち、Ｘ軸方向において両端に配置される一対の蓄電素子１の熱伝達量の平均値ｑｏと、該一対の蓄電素子１の間に配置される各蓄電素子１の熱伝達量の平均値ｑｉとの比（ｑｏ／ｑｉ）が１．２４となるように構成される。
【０１５７】
より具体的に説明する。実施例１の蓄電装置において、複数の蓄電素子１のうち、Ｘ軸方向において両端に配置された一対の蓄電素子１のうち一方の蓄電素子１（Ｅ１）が隣り合う外部通風路２４Ｂ及び内部通風路２２０Ａと接触する面積の和は、１１，１５８ｍｍ２、他方の蓄電素子１（Ｅ１８）が隣り合う外部通風路２４Ｂ及び内部通風路２２１Ａと接触する面積の和は、１０，４４９ｍｍ２となるように構成される。このため、両端に配置された一対の蓄電素子１の冷却面積の平均値Ａｏは、１０，８０４ｍｍ２である。
【０１５８】
また、Ｘ軸方向において両端に配置された一対の蓄電素子１のうち一方の蓄電素子１（Ｅ１）に隣り合う外部通風路２４Ｂ及び内部通風路２２０Ａの断面積の和は、１７０ｍｍ２、他方の蓄電素子１（Ｅ１８）に隣り合う外部通風路２４Ｂ及び内部通風路２２１Ａの断面積の和は、１５８ｍｍ２となるように構成される。このため、両端に配置された一対の蓄電素子１に隣り合う内部通風路２２Ａ及び外部通風路２４Ｂの断面積の平均値ａｏは、１６４ｍｍ２である。
【０１５９】
また、実施例１の蓄電装置において、複数の蓄電素子１のうち、Ｘ軸方向において両端に配置される一対の蓄電素子１の間に配置される各蓄電素子１（Ｅ２〜Ｅ１７）の冷却面積の平均値Ａｉは、９，６７５ｍｍ２、各蓄電素子１（Ｅ２〜Ｅ１７）が隣り合う内部通風路２２０Ａ，２２１Ａの断面積の平均値ａｉは、１３４ｍｍ２となるように構成される。
【０１６０】
そのため、実施例１の蓄電装置は、Ｘ軸方向において両端に配置される一対の蓄電素子１の熱伝達量の平均値ｑｏと、該一対の蓄電素子１の間に配置される各蓄電素子１の熱伝達量の平均値ｑｉとの比（ｑｏ／ｑｉ）が１．２４となるように構成されている。また、実施例１の蓄電装置は、Ａｏ×√ａｏ＝１３８，３５９ｍｍ２、Ａｉ×√ａｉ＝１１１，９９６ｍｍ２であるため、Ａｏ×√ａｏ＞Ａｉ×√ａｉとなるように構成されている。
【０１６１】
実施例２の蓄電装置は、実施例１の蓄電装置と同様に、１８個の蓄電素子（Ｅ１〜Ｅ１８）を備えている。実施例２の蓄電装置は、複数の蓄電素子１のうち、Ｘ軸方向において両端に配置される一対の蓄電素子１の熱伝達量の平均値ｑｏと、該一対の蓄電素子１の間に配置される各蓄電素子１の熱伝達量の平均値ｑｉとの比（ｑｏ／ｑｉ）が１．５１となるように構成される。
【０１６２】
より具体的に説明する。実施例２の蓄電装置において、複数の蓄電素子１のうち、Ｘ軸方向において両端に配置された一対の蓄電素子１のうち一方の蓄電素子１（Ｅ１）が隣り合う外部通風路２４Ｂ及び内部通風路２２０Ａと接触する面積の和は、１１，５７８ｍｍ２、他方の蓄電素子１（Ｅ１８）が隣り合う外部通風路２４Ｂ及び内部通風路２２１Ａと接触する面積の和は、１０，８７０ｍｍ２となるように構成される。このため、両端に配置された一対の蓄電素子１の冷却面積の平均値Ａｏは、１１，２２４ｍｍ２である。
【０１６３】
また、Ｘ軸方向において両端に配置された一対の蓄電素子１のうち一方の蓄電素子１（Ｅ１）に隣り合う外部通風路２４Ｂ及び内部通風路２２０Ａの断面積の和は、１９４ｍｍ２、他方の蓄電素子１（Ｅ１８）に隣り合う外部通風路２４Ｂ及び内部通風路２２１Ａの断面積の和は、１８５ｍｍ２となるように構成される。このため、両端に配置された一対の蓄電素子１に隣り合う内部通風路２２Ａ及び外部通風路２４Ｂの断面積の平均値ａｏは、１８９．５ｍｍ２である。
【０１６４】
また、実施例２の蓄電装置において、複数の蓄電素子１のうち、Ｘ軸方向において両端に配置される一対の蓄電素子１の間に配置される各蓄電素子１（Ｅ２〜Ｅ１７）の冷却面積の平均値Ａｉは、９，４８３ｍｍ２、各蓄電素子１（Ｅ２〜Ｅ１７）が隣り合う内部通風路２２Ａ及び外部通風路２４Ｂの断面積の平均値ａｉは、１１７ｍｍ２となるように構成される。
【０１６５】
このため、実施例２の蓄電装置は、Ｘ軸方向において両端に配置される一対の蓄電素子１の熱伝達量の平均値ｑｏと、該一対の蓄電素子１の間に配置される各蓄電素子１の熱伝達量の平均値ｑｉとの比（ｑｏ／ｑｉ）が１．５０６（≒１．５１）となるように構成されている。また、実施例２の蓄電装置は、Ａｏ×√ａｏ＝１５４，５０８ｍｍ２、Ａｉ×√ａｉ＝１０２，５７４ｍｍ２であるため、Ａｏ×√ａｏ＞Ａｉ×√ａｉとなるように構成されている。
【０１６６】
（電流値Ｙの測定方法）
まず、蓄電装置に対して、温度を２５℃に設定した冷却用の流体をＸ（ｍ３／ｈ）で供給している状態にし、直列に接続した各蓄電素子１を電流値Ｙ（Ａ）で定電流放電させる。そして、６００秒経過した時点で各蓄電素子１の温度を測定する。さらに、電流値Ｙ（Ａ）を大きくした状態の各蓄電素子１を再び定電流放電させ、６００秒経過した時点で再度各蓄電素子１の温度を測定する。
【０１６７】
このようにして、各蓄電素子１の電流値Ｙを徐々に大きくしながら、各蓄電素子１の温度を測定する。そして、複数の蓄電素子１のうちの何れか一つの蓄電素子１の温度が４０℃を超えた時点における、各蓄電素子１の電流値Ｙを最大の電流値Ｙとする。流体の流量Ｘを５２．５（ｍ３／ｈ）として（一つの蓄電素子１に供給される流体の流量が２．９２（ｍ３／ｈ）となるようにして）、実施例１，２の蓄電装置の電流値Ｙを測定した結果を表１に示す。
【０１６８】
なお、表１に記載の蓄電素子１の温度は、複数の蓄電素子１のうちの何れか一つの蓄電素子１の温度が４０℃を超えた時点の値である。
【０１６９】
【表１】
2016031903.tif 000006
【０１７０】
表１及び図９に示すように、複数の蓄電素子１のうち、Ｘ軸方向において両端に配置される一対の蓄電素子１の熱伝達量ｑを大きくすると、より大きな電流を流した場合に、複数の蓄電素子１のうちの何れか一つの蓄電素子１の温度が大きく上昇することを抑えれることがわかる。つまり、Ｘ軸方向において両端に配置される一対の蓄電素子１の温度上昇を抑えることができている。また、図９に示すように、各蓄電素子１の温度のばらつきが生じるのを抑えることができている。
【符号の説明】
【０１７１】
蓄電素子…１，スペーサ…２，内部スペーサ…２Ａ，外部スペーサ…２Ｂ，内部通風路…２２Ａ（２２０Ａ，２２１Ａ），外部通風路…２４Ｂ，内部スペーサの風路形成部…２３Ａ（２３０Ａ，２３１Ａ），外部スペーサの風路形成部…２５Ｂ
【図１】
2016031903.tif 000007
【図２】
2016031903.tif 000008
【図３】
2016031903.tif 000009
【図４】
2016031903.tif 000010
【図５】
2016031903.tif 000011
【図６】
2016031903.tif 000012
【図７】
2016031903.tif 000013
【図８】
2016031903.tif 000014
【図９】
2016031903.tif 000015